(57)【要約】【課題】調整対象物の調整作業を正確且つ容易に行わせることを可能としたパチンコ機を提供する。【解決手段】画像表示装置４１とともに透明遊技盤６の裏側面に対して照明装置４２、４３が配置され、主制御部６１が開放検出センサ１６により前枠扉４が開放されていることを検出した場合（Ｓ１：ＹＥＳ）であって、前枠扉４の開放を検出してから５秒以内に対象物調整ボタン１７の操作を受け付けた場合（Ｓ２：ＮＯ、Ｓ３：ＹＥＳ）には、前枠扉４が開放されていることを報知する警告音をスピーカ７から出力することなく、画像表示装置４１、照明装置４２、４３の発光を停止するように制御する（Ｓ４）ように構成する。【選択図】図５
2010273825.tif 000002
【特許請求の範囲】
【請求項１】
パチンコ球を発射するパチンコ球発射装置と、
前記パチンコ球発射装置により発射されたパチンコ球を転動させる遊技領域と、
前面に前記遊技領域を有するとともに、前記遊技領域内に透明部材により形成されて背後が透視可能な透明領域を備えた遊技盤と、
前記透明領域内においてパチンコ球に対する姿勢が調整可能に配置され、パチンコ球と接触することによりパチンコ球の転動方向を変化させる調整対象物と、
前面側から背面側を視認可能な窓部を有し、該窓部を通して前記遊技領域を視認可能な状態で前記遊技領域の前面を覆うとともに、該遊技領域の前面を開閉可能な前枠扉と、
前記前枠扉の開放を検出する前枠扉開放検出手段と、
前記遊技盤の背面側に配置され、前記透明領域を介して前面側へ光を出射する装飾用の発光源と、
前記発光源の出力を制御する発光制御手段と、を有し、
前記発光制御手段は、前記発光源を発光させている際に前記前枠扉開放検出手段によって前記前枠扉の開放を検出した場合には、該前枠扉の開放前と比較して前記発光源の輝度を低下させることを特徴とするパチンコ機。
【請求項２】
前記調整対象物の調整を行う者の操作を受け付ける操作手段と、
時間経過を計測するタイマと、
前記前枠扉開放検出手段によって前記前枠扉が開放されていることを検出してからの経過時間を前記タイマによって計測し、該経過時間が第１所定時間を経過する前に前記操作手段において所定の操作を受け付けなかった場合に、前記前枠扉が開放されていることを報知する第１報知手段と、を有すること特徴とする請求項１に記載のパチンコ機。
【請求項３】
前記経過時間が第１所定時間を経過する前に前記操作手段において所定の操作を受け付けた場合であって、前記経過時間が前記第１所定時間より長い第２所定時間を経過した時点で、前記前枠扉開放検出手段によって前記前枠扉が開放されていることを検出した場合に、前記前枠扉が開放されていることを報知する第２報知手段を有すること特徴とする請求項２に記載のパチンコ機。
【発明の詳細な説明】
【技術分野】
【０００１】
本発明は、遊技盤に透明領域を備えたパチンコ機に関する。
【背景技術】
【０００２】
従来より、遊技領域に設けられ、複数の識別図柄や演出画像を表示する図柄表示装置を備えたパチンコ機やパチスロ機等の遊技機に関して種々提案されている。このような図柄表示装置では、識別図柄の組合せに従って大当りの有無を遊技者に報知したり、内部抽選結果に基づく各種演出画像を表示させることによって、遊技機における遊技性を多様化させている。更に、近年では、上記図柄表示装置に加えて大型の役物、装飾部材、ＬＥＤ、ランプ等の発光装置が遊技領域内に設けられていることが多い。このような大型の役物、装飾部材、発光装置は、図柄表示装置の表示内容とリンクして可動又は発光したり、大当りとなったことを遊技者に報知する際に可動又は発光される。
【０００３】
そして、近年、上記図柄表示装置が大型化する傾向があり、パチンコ機においては図柄表示装置の大型化に伴ってパチンコ球が転動する遊技領域が狭くなり、パチンコ球の転動による遊技性が低下する問題があった。また、役物、装飾部材、発光装置についても大型化や配置数の増加傾向があり、同じく遊技領域が狭くなる問題があった。そこで、遊技盤を透明部材により形成し、その透明遊技盤に釘や入賞口等を設けて遊技領域とすると共に、透明遊技盤の背後に図柄表示装置や役物、装飾部材、発光装置等を配置することが提案されている（例えば、特開２００７−３０１２１９号公報参照）。その結果、広い遊技領域を確保することが可能となるとともに、透明な遊技盤を通して遊技領域内の広い領域で演出画像を表示することが可能となる。また、大型の役物、装飾部材、発光装置についても多数配置することが可能となる。
【先行技術文献】
【特許文献】
【０００４】
【特許文献１】特開２００７−３０１２１９号公報（第６頁、第７頁、図２）
【発明の概要】
【発明が解決しようとする課題】
【０００５】
しかしながら、上記透明遊技盤を用いたパチンコ機においては、以下の新たな問題が生じていた。
従来よりパチンコ機の遊技領域内には、遊技領域内を転動するパチンコ球の転動に変化を与えるために釘等の調整対象物が多数配置されている。また、この調整対象物は外部から負荷を与えることによって形状（即ち、パチンコ球に対する姿勢）を変化させることができる。ここで、釘等の調整対象物のパチンコ球に対する姿勢は、入賞口や始動口へのパチンコ球の入賞確率を大きく左右するものであり、日常的に微妙な調整が行われる。
【０００６】
しかしながら、透明遊技盤に対して配置された調整対象物の調整作業は、従来のベニヤ板からなる遊技盤に対して配置された調整対象物の調整作業と比較して困難な作業となっていた。その理由は、調整対象物の周囲における透明遊技盤の背後にＬＣＤ、ＬＥＤやランプ等の発光源があると、発光源から発光された光が調整対象物を調整する者（以下、調整者という）の目に入射し、調整作業を妨げることにある。
【０００７】
そこで、本発明は、遊技領域を覆う前枠扉を開放した際に、遊技盤の背後にあるＬＣＤ、ＬＥＤやランプ等の発光源の輝度を低下させることによって、発光源から発光された光が調整対象物の調整作業を妨げることなく、調整対象物の調整作業を正確且つ容易に行わせることを可能としたパチンコ機を提案する。
【課題を解決するための手段】
【０００８】
前記目的を達成するため請求項１に係るパチンコ機は、パチンコ球を発射するパチンコ球発射装置と、パチンコ球発射装置により発射されたパチンコ球を転動させる遊技領域と、前面に遊技領域を有するとともに、遊技領域内に透明部材により形成されて背後が透視可能な透明領域を備えた遊技盤と、透明領域内においてパチンコ球に対する姿勢が調整可能に配置され、パチンコ球と接触することによりパチンコ球の転動方向を変化させる調整対象物と、前面側から背面側を視認可能な窓部を有し、該窓部を通して遊技領域を視認可能な状態で遊技領域の前面を覆うとともに、該遊技領域の前面を開閉可能な前枠扉と、前枠扉の開放を検出する前枠扉開放検出手段と、遊技盤の背面側に配置され、透明領域を介して前面側へ光を出射する装飾用の発光源と、発光源の出力を制御する発光制御手段と、を有し、発光制御手段は、発光源を発光させている際に前枠扉開放検出手段によって前枠扉の開放を検出した場合には、該前枠扉の開放前と比較して発光源の輝度を低下させることを特徴とする。
尚、調整対象物としては、釘、風車、役物等を含む。
【０００９】
前記請求項１に係るパチンコ機によれば、調整者が調整対象物のパチンコ球に対する姿勢を調整する際に前枠扉を開放する操作に連動して遊技盤の背後にあるＬＣＤ、ＬＥＤやランプ等の発光源の輝度を低下させることができるので、発光源からの光が調整者の目に入射するのを抑える。それによって、透明領域を備えた遊技盤を用いた場合であっても調整対象物の調整作業を正確且つ容易に行わせることが可能となる。
【００１０】
また、請求項２に係るパチンコ機は、更に、調整対象物の調整を行う者の操作を受け付ける操作手段と、時間経過を計測するタイマと、前枠扉開放検出手段によって前枠扉が開放されていることを検出してからの経過時間を前記タイマによって計測し、該経過時間が第１所定時間を経過する前に操作手段において所定の操作を受け付けなかった場合に、前枠扉が開放されていることを報知する第１報知手段と、を有すること特徴とする。
【００１１】
調整者による調整作業とは無関係に、パチンコ機の施錠されている前扉枠を不正に開放するなどして、釘等の調整対象物を遊技者に有利に調整する行為をゴト行為という。遊技店側では、このような目的のためにパチンコ機の前枠扉が開放されることが無いように監視を強化する必要がある。しかし、調整者による調整作業はゴト行為と同様に前扉枠を開放して行われるので、監視を強化することが調整者による調整作業の効率低下の原因となることは避けたい。
前記請求項２に係るパチンコ機によれば、前枠扉が開放されていることを報知可能であって、且つ調整者が調整作業を行う場合には、前枠扉を開放してから第１所定時間を経過する前に所定の操作を行うことによって、前枠扉を開放した状態でも前枠扉の開放に関する報知を行わないようにすることができる。その結果、ゴト行為の監視を強化しつつ調整者による調整対象物の調整作業を正確且つ容易に行わせることが可能となる。
【００１２】
また、請求項３に係るパチンコ機は、更に、前枠扉が開放されていることを検出してからの経過時間が第１所定時間を経過する前に操作手段において所定の操作を受け付けた場合であって、経過時間が第１所定時間より長い第２所定時間を経過した時点で、前枠扉開放検出手段によって前枠扉が開放されていることを検出した場合に、前枠扉が開放されていることを報知する第２報知手段を有すること特徴とする。
【００１３】
前記請求項３に係るパチンコ機によれば、調整者が前枠扉を開放してから第１所定時間が経過する前に所定の操作を行うことで前枠扉の開放報知を行わせない場合であっても、更にその後に所定時間以上経過した時点で依然として前枠扉が開放されているときには、前枠扉の開放に関する報知を行うので、ゴト行為の監視を強化しつつ調整者による調整対象物の調整作業を正確且つ容易に行わせることが可能となる。
【図面の簡単な説明】
【００１４】
【図１】本実施形態に係るパチンコ機全体を示した正面図である。
【図２】同パチンコ機の透明遊技盤を示す正面図である。
【図３】図２の線Ａ−Ａで透明遊技盤を切断した矢視断面図である。
【図４】同パチンコ機のブロック図である。
【図５】発光源の減衰制御処理プログラムについてのフローチャート図である。
【図６】発光源の減衰制御処理プログラムについての変形例のフローチャート図である。
【発明を実施するための形態】
【００１５】
以下、本発明に係るパチンコ機について具体化した一実施形態について図面を参照して詳細に説明する。先ず、本実施形態に係るパチンコ機１の概略構成について図１に基づき説明する。図１は本実施形態に係るパチンコ機全体を示した正面側斜視図である。
【００１６】
図１に示すように、パチンコ機１は、縦長の方形状に形成された機体の外郭を為す外枠２と、外枠２の内側に取り付けられた中枠３と、中枠３に開閉可能に設けられている額縁状に形成された前枠扉４とで構成される。また、中枠３は、外枠２に対して開閉自在に設置される前面枠（図示せず）と、機構部品等が取り付けられる機構板（図示せず）と、それらに取り付けられる種々の部品（後述する透明遊技盤６等を除く）とを含む構造体である。更に、この中枠３の前面枠には、後述する遊技領域５が前面に形成された透明部材からなる透明遊技盤６（図２参照）が着脱自在に組み付けられている。一方、前枠扉４の背面において、中枠３の一部を構成する機構板には、電源ユニット（図示せず）や各種制御基板が収納された基板ボックス（図示せず）や後述のスピーカ７などの部品が取り付けられている。
【００１７】
また、前枠扉４は、略円形上のガラス板を中央に備え、遊技領域５の前面において該遊技領域５を視認可能な状態で覆う扉型カバー部材である。そして、透明遊技盤６の前面に設けられた遊技領域５は、前枠扉４によって保持されているガラス板を通して遊技者に視認可能となっている。
【００１８】
また、前枠扉４の下部表面には発射球貯留皿（上皿）１０がある。発射球貯留皿１０の下部には、発射球貯留皿１０に収容しきれない遊技球を貯留する余剰球受皿（下皿）１１と遊技球を発射する操作ハンドル１２が設けられている。そして、操作ハンドル１２に対して回動可能に装着された操作レバー１３を遊技者が回動操作することにより、中枠３に設けられた発射球貯留皿１０に貯留されている遊技球が、図示しない球送り機構を介して発射装置１４に送られた後、遊技領域５に向けて発射される。また、発射球貯留皿１０の背面側にはパチンコ機１に関する各種音（ＢＧＭ、効果音、警告音等）を出力するスピーカ７が配置されている。
【００１９】
また、中枠３の上端縁部の前面には、前枠扉４の開放を検出する為の開放検出センサ１６が設けられている。ここで、開放検出センサ１６は、接触型のセンサであり、パチンコ機１に対して前枠扉４が閉鎖されている場合にＯＮ（接触）となり、パチンコ機１に対して前枠扉４が開放されている場合にＯＦＦ（非接触）となる。そして、開放検出センサ１６はＯＦＦ（非接触）となった場合に、前枠扉４の開放を示す検出信号を開放検出センサ１６に接続された主制御基板（図示せず）へと送信する。その結果、主制御基板は、前枠扉４が開放されていることを検出可能となる。
【００２０】
また、中枠３の下端縁部の前面には、対象物調整ボタン（操作手段）１７が設けられている。ここで、対象物調整ボタン１７は前枠扉４を開放した状態でのみ操作可能な位置に配置されており、調整者が調整対象物である釘や後述の各種役物のパチンコ球に対する姿勢を調整する際に調整者によって押下される。そして、対象物調整ボタン１７が押下された場合には、操作信号を主制御基板へと送信する。その結果、主制御基板は、対象物調整ボタン１７が押下されたことを検出可能となる。
尚、主制御基板は、基本的にパチンコ機１の主電源がＯＮされた状態で前枠扉４が開放されていることを検出すると、前枠扉４が開放されていることを報知する警告音をスピーカ７より出力するように制御する。但し、前枠扉４が開放されていることを検出してから所定時間以内（例えば５秒以内）に、対象物調整ボタン１７が押下されたことを検出すると、後述のように所定時間（例えば５分）経過するまでは警告音は出力されない。更に、主制御基板は、前枠扉４が開放されていることを検出してから所定時間以内（例えば５秒以内）に、対象物調整ボタン１７が押下されたことを検出すると、透明遊技盤６の背後に配置された各種発光源の輝度を低下（特に本実施形態では発光量を０まで低下（即ち消灯））するように制御する。
【００２１】
続いて、中枠３に組み付けられている透明遊技盤６について、図２及び図３に基づいて説明する。図２はパチンコ機の透明遊技盤を示した正面図である。図３は図２の線Ａ−Ａで透明遊技盤６を切断した矢視断面図である。
透明遊技盤６は、アクリル板等の透明性を有する部材で形成され、遊技者から背面側が透視可能な透明領域を備える。尚、本実施例では透明遊技盤６全体を透明領域とする。また、図２に示すように、透明遊技盤６は、外周端部付近に、円弧状の外レール２１、逆流防止弁２２及び内レール２３が取り付けられている。これらの外レール２１、逆流防止弁２２及び内レール２３によって囲まれた円形状の領域が遊技領域５となる。そして、遊技領域５内には、調整対象物である釘や後述の各種役物が配置されている。そして、逆流防止弁２２で仕切られた放出口２４から飛び出したパチンコ球は、自重落下をするとともに釘や各種役物と接触して遊技領域５内を転動する。
【００２２】
また、遊技領域５には、遊技領域５の中心部を基準として、通過ゲート（スルー・チャッカー）２５、特別図柄始動口（スタート・チャッカー）２６等が配設されており、この特別図柄始動口２６の下方には、遊技領域５の下端部付近に位置してアタッカー２７が配置されている。また、特別図柄始動口２６には、パチンコ球の入賞を検出する始動口スイッチ（図示せず）が設けられ、パチンコ球の入賞を検出することで後述の画像表示装置４１において識別図柄の変動が開始される。
【００２３】
また、アタッカー２７には、開閉扉２８が設けられており、当該開閉扉２８が開放又は閉塞することによって開口又は閉口するようになっている。開閉扉２８の開放時には、開閉扉２８上に落下した遊技球が開閉扉２８に案内されてアタッカー２７へ入賞する。
【００２４】
また、遊技領域５には、風車２９や、遊技領域５内を自重落下するパチンコ球を所定の経路に誘導する多数の遊技釘３０が設けられている。これらの風車２９及び遊技釘３０は、パチンコ球に対する姿勢（具体的には曲率や遊技盤に対する角度）が調整可能に配置され、パチンコ球と接触することによりパチンコ球の転動方向を変化させる。そして、パチンコ球は、風車２９や遊技釘３０等により特別図柄始動口２６の近傍に案内される。なお、透明遊技盤６の中央下方には、透明遊技盤６の裏面側通路と前面側通路とにパチンコ球の通路が設けられたステージを設けてもよい。ステージ上に案内されたパチンコ球は、特別図柄始動口２６に入賞しやすくなる。
【００２５】
更に、透明遊技盤６の最下位置には、外れ球を透明遊技盤６の裏側へ排出するアウト口３１が設けられている。
【００２６】
また、透明遊技盤６の中央部には、後述の画像表示装置４１の周囲を囲うように飾り部材３２が設置されている。また、飾り部材３２の内側の底面にはパチンコ球を転動させるステージ３３が形成されている。
【００２７】
次に、パチンコ機１に配置された発光装置について説明する。尚、発光装置はＬＣＤ、ＬＥＤ、ランプ等の装飾用の発光源を備えた装置であり、本実施形態のパチンコ機１は発光装置として画像表示装置４１、照明装置４２、４３を備える。
【００２８】
ここで、画像表示装置４１は、発光源としてＬＣＤを備え、図３に示すように透明遊技盤６の中央に開設された開口部４４の背面側に配設されている。そして、画像表示装置４１には、遊技の進行に従ってキャラクタの画像や識別図柄、普通図柄等を表示し、パチンコ機１の内部抽選の抽選結果（例えば、大当りやリーチはずれ等）を遊技者に対して報知する。更に、所定時間以上入賞口やアウト口３１にパチンコ球が入賞しない場合には、デモ画面を表示させる。
尚、本実施形態のパチンコ機１では、透明遊技盤６の開口部４４に対して画像表示装置４１を配設するように構成しているが、透明遊技盤６に開口部４４を形成せずに画像表示装置４１を透明遊技盤６の背面側に配置しても良い。その場合には、遊技者は透明遊技盤６を介して画像表示装置４１の表示内容が視認可能となる。
【００２９】
一方、照明装置４２、４３は、発光源としてＬＥＤ４５を備え、透明遊技盤６の背面側において、透明遊技盤６と一定の間隔を空けて配置される。また、特に照明装置４３については、頻繁に調整を行う調整対象物の周囲に位置し、透明領域を介して前面側へ光を出射することができるように配置される。尚、頻繁に調整を行う調整対象物としては、パチンコ球の入賞口（特別図柄始動口２６、アタッカー２７等）への入賞確率を大きく左右する調整対象物であり、例えば、（Ａ）特別図柄始動口２６、アタッカー２７等の入賞口の上部に配置されている所謂命釘と呼ばれる遊技釘３０、（Ｂ）通過ゲート２５の上部に配置されている遊技釘３０、（Ｃ）ワープ入賞口にある遊技釘３０、（Ｄ）風車２９等が該当する。
【００３０】
照明装置４２、４３は、図３に示すように、ＬＥＤ基板４６と、ＬＥＤ基板４６上に配置された複数のＬＥＤ４５と、ＬＥＤ４５の前面に配置されＬＥＤ４５から発光された光を拡散させて均一にするＬＥＤレンズ４７とから構成される。また、ＬＥＤレンズ４７はパチンコ機１と関係のある形状（例えば、パチンコ機１と関連する文字やキャラクタの形状）を備える。
そして、照明装置４２、４３は図示しない演出制御基板に接続され、演出制御基板から送信される制御信号に基づいてＬＥＤ４５の出力が制御される。その結果、照明装置４２、４３は、画像表示装置４１の表示内容とリンクして発光したり、大当りとなったことを遊技者に報知する際に発光する。尚、発光された光は、透明遊技盤６を介して視認可能となる。
また、画像表示装置４１、照明装置４２、４３は、遊技者が遊技を行っていない状態でも常時又は一定間隔で発光される。但し、後述のように前枠扉４が開放されていることを検出してから所定時間以内（例えば５秒以内）に、対象物調整ボタン１７が押下されたことを検出すると、画像表示装置４１、照明装置４２、４３は発光を停止する（即ち、ＬＣＤのバックライトやＬＥＤ４５が消灯される）。
【００３１】
また、前記した透明遊技盤６の背面側には、図３に示すように枠体５１が取り付けられている。そして、上述した画像表示装置４１は枠体５１の背面側に設置される。また、枠体５１の中央部には画像表示装置４１の表示画面に対応する位置に枠部５２が設けられている。枠部５２は、枠体５１の背面壁部５３からパチンコ機の前面側に突出して筒状に形成され、透明遊技盤６の開口部４４に対して嵌合する。従って、遊技者は開口部４４及び枠部５２を通して画像表示装置４１が視認可能となる。また、透明遊技盤６と枠体５１の背面壁部５３との間には、枠部５２の高さに相当する間隔の空間５４が形成される。そして、この空間５４内において上述した照明装置４２、４３が設置される。
【００３２】
次に、上記のように構成されたパチンコ機１の駆動制御に係る制御システムの構成について図４に基づいて説明する。
図４に示すように、パチンコ機１の駆動制御に係る制御システムは、主制御部６１と、演出制御部６２とから基本的に構成される。また、主制御部６１には、主記憶部６３、遊技機構６４、タイマ６５、開放検出センサ１６、対象物調整ボタン１７が接続されている。一方、演出制御部６２には、ＲＡＭ６６、表示手順データ記憶部６７、ＶＲＡＭ６８、画像データ記憶部６９、照明装置４２、４３、枠ランプ７０、画像表示装置４１、スピーカ７が接続されている。尚、主制御部６１及び主記憶部６３は主制御基板に配置され、演出制御部６２、ＲＡＭ６６、表示手順データ記憶部６７、ＶＲＡＭ６８及び画像データ記憶部６９は演出制御基板に配置される。
【００３３】
ここで、主記憶部６３は、後述の減衰制御処理プログラムを含む主制御部６１の各種動作プログラムなどを記憶する記憶手段である。また、遊技機構６４は、透明遊技盤６に設置された各種機構（開閉扉２８を開閉する開閉ソレノイド、チューリップ式役物を開閉するソレノイド等）から構成される。また、タイマ６５は現在時刻や所定時点からの時間経過を計測する為の計測手段である。
そして、主制御部６１は、パチンコ機１を統括制御すると共に、パチンコ機１の動作状態に応じて各種のコマンド信号を演出制御基板に出力することにより、照明装置４２、４３、枠ランプ７０、画像表示装置４１、スピーカ７等を間接的に制御する。
【００３４】
一方、ＲＡＭ６６は、演出制御部６２の演算結果などを一時的に記憶する記憶手段である。表示手順データ記憶部６７は、表示用画像データの生成時に使用する画像データの指定、画像を表示させる位置やサイズ、および表示時間の指定などが記述された表示手順データや、画像表示装置４１の動作プログラムなどを記憶する記憶手段である。ＶＲＡＭ６８は、画像表示装置４１によって画像データに対応する画像が仮想的に描画されることによって生成された表示用画像データを記憶する記憶手段である。画像データ記憶部６９は、表示用画像データを生成するための画像データ（数字が描かれた画像や背景画の画像データ）などを記憶する記憶手段である。枠ランプ７０は前枠扉４の内部に配置されたＬＥＤやランプ等の発光装置である。
そして、演出制御部６２は、主制御部６１から各種のコマンド信号を受信すると、受信したコマンド信号に従って照明装置４２、４３、枠ランプ７０、画像表示装置４１、スピーカ７等を制御する。
【００３５】
次に、このように構成された本実施形態に係るパチンコ機１の制御処理について説明する。以下に、主制御部６１が実行する発光源の減衰制御処理について図５に基づいて説明する。尚、以下に図５にフローチャートで示される各プログラムは主記憶部６３に記憶されており、主制御部６１により所定時間間隔（例えば２００ｍｓ）で繰り返し実行される。
【００３６】
図５に示すように、先ずステップ（以下、Ｓと略する）１において主制御部６１は、開放検出センサ１６から送信される検出信号に基づいて、前枠扉４が開放されているか否かを判定する。
【００３７】
そして、前枠扉４が開放されていると判定された場合（Ｓ１：ＹＥＳ）には、Ｓ２へと移行する。それに対して、前枠扉４が開放されていないと判定された場合（Ｓ１：ＮＯ）には、当該減衰制御処理を終了する。
【００３８】
次に、Ｓ２において主制御部６１は、タイマ６５を用いて前枠扉４が開放されたことを検出してから５秒（第１所定時間）経過したか否かを判定する。
【００３９】
そして、前枠扉４が開放されたことを検出してから５秒経過していないと判定された場合（Ｓ２：ＮＯ）には、Ｓ３へと移行する。それに対して、前枠扉４が開放されたことを検出してから５秒経過したと判定された場合（Ｓ２：ＹＥＳ）には、Ｓ８へと移行する。
【００４０】
また、Ｓ３において主制御部６１は、対象物調整ボタン１７が押下されたか否か判定する。そして、対象物調整ボタン１７が押下されたと判定された場合（Ｓ３：ＹＥＳ）には、Ｓ４へと移行する。一方、対象物調整ボタン１７が押下されていないと判定された場合（Ｓ３：ＮＯ）には、Ｓ２へと戻る。
【００４１】
Ｓ４において主制御部６１は、画像表示装置４１、照明装置４２、４３の発光を停止するコマンド信号を演出制御部６２へ出力する。そして、コマンド信号を受信した演出制御部６２は、画像表示装置４１、照明装置４２、４３に対して制御信号を送信し、画像表示装置４１のＬＣＤのバックライトを消灯させるとともに、照明装置４２、４３の発光源となるＬＥＤ４５の発光を停止させる。その後、Ｓ５へと移行する。
【００４２】
次に、Ｓ５において主制御部６１は、タイマ６５を用いて前枠扉４が開放されたことを検出してから５分（第２所定時間）経過したか否かを判定する。
【００４３】
そして、前枠扉４が開放されたことを検出してから５分経過していないと判定された場合（Ｓ５：ＮＯ）には、５分経過するまで待機する。それに対して、前枠扉４が開放されたことを検出してから５分経過したと判定された場合（Ｓ５：ＹＥＳ）には、Ｓ６へと移行する。
【００４４】
Ｓ６において主制御部６１は、開放検出センサ１６から送信される検出信号に基づいて、前枠扉４が開放されているか否かを再度判定する。
【００４５】
そして、前枠扉４が開放されていないと判定された場合（Ｓ６：ＮＯ）、即ち前枠扉４が開放されてから５分経過した時点において既に前枠扉４が閉鎖されている場合には、Ｓ７へと移行する。一方、前枠扉４が開放されていると判定された場合（Ｓ６：ＹＥＳ）、即ち前枠扉４が開放されてから５分経過した時点でも前枠扉４が継続して開放されている場合には、Ｓ８へと移行する。
【００４６】
Ｓ７において主制御部６１は、前記Ｓ４で停止した画像表示装置４１、照明装置４２、４３の発光を再開するコマンド信号を演出制御部６２へ出力する。そして、コマンド信号を受信した演出制御部６２は、画像表示装置４１、照明装置４２、４３に対して制御信号を送信し、画像表示装置４１のＬＣＤのバックライトを点灯させるとともに、照明装置４２、４３の発光源となるＬＥＤ４５の発光を開始させる。
【００４７】
一方、Ｓ８において主制御部６１は、前枠扉４が開放されていることを報知する警告音を出力するコマンド信号を演出制御部６２へ出力する。そして、コマンド信号を受信した演出制御部６２は、スピーカ７から前枠扉４が開放されていることを報知する警告音を出力させるようにスピーカ７を制御する。具体的には、「扉が開いています。」との音声をスピーカから出力する。尚、警告としては音声以外にもブザー音等の電子音を出力するように構成しても良い。また、パチンコ機１の備える各種発光源からの発光パターンを変化させるによって警告を行うように構成しても良い。
また、前記Ｓ４で画像表示装置４１、照明装置４２、４３の発光の停止制御を行っている場合には、その後に前枠扉４が閉鎖されたことを検出した際に、画像表示装置４１、照明装置４２、４３の発光を再開するコマンド信号を演出制御部６２へ出力する。
【００４８】
以上説明したとおり、本実施形態に係るパチンコ機１によれば、画像表示装置４１とともに透明遊技盤６の裏側面に対して照明装置４２、４３が配置され、主制御部６１が開放検出センサ１６により前枠扉４が開放されていることを検出した場合（Ｓ１：ＹＥＳ）であって、前枠扉４の開放を検出してから５秒以内に対象物調整ボタン１７の操作を受け付けた場合（Ｓ２：ＮＯ、Ｓ３：ＹＥＳ）には、前枠扉４が開放されていることを報知する警告音をスピーカ７から出力することなく、画像表示装置４１、照明装置４２、４３の発光を停止するように制御する（Ｓ４）ので、調整者が調整対象物のパチンコ球に対する姿勢を調整する際に前枠扉４を開放する操作に連動して遊技盤の背後にあるＬＣＤ、ＬＥＤやランプ等の発光源の輝度を低下させることができるので、発光源からの光が調整者の目に入射するのを抑える。それによって、透明領域を備えた遊技盤を用いた場合であっても調整対象物の調整作業を正確且つ容易に行わせることが可能となる。
また、前枠扉４が開放されていることを報知可能であって、且つ調整者が調整作業を行う場合には、前枠扉４を開放してから５秒経過する前に所定の操作を行うことによって、前枠扉４を開放した状態でも前枠扉４の開放に関する報知を行わないようにすることができる。その結果、ゴト行為の監視を強化しつつ調整者による調整対象物の調整作業を正確且つ容易に行わせることが可能となる。
また、調整者が前枠扉４を開放してから５秒経過する前に所定の操作を行うことで前枠扉４の開放報知を行わせない場合であっても、更にその後に５分経過した時点で依然として前枠扉４が開放されているときには、前枠扉４の開放に関する報知を行うので、ゴト行為の監視を強化しつつ調整者による調整対象物の調整作業を正確且つ容易に行わせることが可能となる。
【００４９】
尚、本発明は、上記実施形態に限定されるものではなく、本発明の要旨を逸脱しない範囲内で種々の改良、変形が可能であることは勿論である。
例えば、図５に示した主制御部６１が実行する発光源の減衰制御処理プログラムは図６のように構成しても良い。
【００５０】
尚、図６に示すＳ１１〜Ｓ１５、Ｓ１８の処理は、既に図５に基づいて説明したＳ１〜Ｓ５、Ｓ８の処理と同様の処理であるので、説明は省略する。
【００５１】
そして、Ｓ１６において主制御部６１は、開放検出センサ１６から送信される検出信号に基づいて、前枠扉４が開放されているか否かを判定する。
【００５２】
そして、前枠扉４が開放されていないと判定された場合（Ｓ１６：ＮＯ）、即ち前枠扉４が開放されてから５分経過した時点において既に前枠扉４が閉鎖されている場合には、Ｓ１７へと移行する。一方、前枠扉４が開放されていると判定された場合（Ｓ１６：ＹＥＳ）、即ち前枠扉４が開放されてから５分経過した時点でも前枠扉４が継続して開放されている場合には、Ｓ１２へと戻る。その後、Ｓ１２において主制御部６１は、再び対象物調整ボタン１７が押下されたか否かを判定し、対象物調整ボタン１７が押下されたと判定された場合（Ｓ１２：ＹＥＳ）には、警告音を出力することなく継続して画像表示装置４１、照明装置４２、４３の発光を停止するように制御する。そして、更に５分経過した後（即ち、前枠扉４が開放されてから１０分経過した後）にＳ１６へと移行する。即ち、５分毎に対象物調整ボタン１７が押下することによって、警告音の出力停止期間を延長することが可能となる。
【００５３】
Ｓ１７において主制御部６１は、前記Ｓ１４で停止した画像表示装置４１、照明装置４２、４３の発光を再開するコマンド信号を演出制御部６２へ出力する。そして、コマンド信号を受信した演出制御部６２は、画像表示装置４１、照明装置４２、４３に対して制御信号を送信し、画像表示装置４１のＬＣＤのバックライトを点灯させるとともに、照明装置４２、４３の発光源となるＬＥＤ４５の発光を開始させる。
以上説明した図６の構成とすることにより、パチンコ機１は前枠扉４の開放に関する警告の停止期間を簡易なボタン操作を用いて延長することが可能となる。
【００５４】
また、本実施形態では、前枠扉４の開放を検出してから５秒以内に対象物調整ボタン１７の操作を受け付けた場合には、画像表示装置４１、照明装置４２、４３の発光を停止するように制御することとしているが、対象物調整ボタン１７が操作されたか否かに関わらず、前枠扉４の開放を検出した場合に画像表示装置４１、照明装置４２、４３の発光を停止するように制御しても良い。また、発光を停止させるのではなく、発光源の輝度を所定値まで低下させる（例えば、１／２や１／３に低下）ように制御しても良い。また、前枠扉４の開放ではなく前枠扉４の施錠が解錠された場合や調整対象物の振動を検知した場合に、警告音の出力や発光源の発光停止制御を行うようにしても良い。
【００５５】
また、本実施形態では、前枠扉４の開放を検出してから５秒以内に対象物調整ボタン１７の操作を受け付けた場合には、５分経過するまで警告音をスピーカ７から出力しないように構成しているが、警告を停止するのではなく警告の種類を変更するように構成しても良い。例えば、警告音の出力から、警告文を画像表示装置４１に表示させる構成へと変更させる。このような構成としても、調整作業中に警告音の出力が停止されるので調整者は集中して調整対象物の調整を行うことが可能となる。
【００５６】
また、本実施形態では、前枠扉４の開放を検出してから５秒以内に対象物調整ボタン１７の操作を受け付けた場合には、透明遊技盤６の背後にある全ての発光源（画像表示装置４１、照明装置４２、４３）からの発光を停止するように制御しているが、一部の発光源のみの発光を停止させるように制御しても良い。但し、その場合には、少なくとも頻繁に調整を行う調整対象物の周囲にある発光源に関しては発光を停止させることが望ましい。例えば、図２に示す例では照明装置４３のみについて発光を制止するように制御しても、本願発明の目的を達成することが可能である。
【００５７】
また、本実施形態では遊技盤の全体を透明部材で形成した透明遊技盤６を用いているが、遊技盤の遊技領域内の一部領域（透明領域）のみを透明部材で形成した遊技盤を用いても良い。その場合には、透明領域の背後に照明装置４２、４３を配置するように構成する。
【符号の説明】
【００５８】
１…パチンコ機、５…遊技領域、６…透明遊技盤、１７…調光シート、２９…風車、３０…遊技釘、４１…画像表示装置、４２，４３…照明装置。
【図１】
2010273825.tif 000003
【図２】
2010273825.tif 000004
【図３】
2010273825.tif 000005
【図４】
2010273825.tif 000006
【図５】
2010273825.tif 000007
【図６】
2010273825.tif 000008